(57)【要約】【課題】  スペックルノイズを充分に低減することができるレーザ光源装置を提供する。【解決手段】  本発明に係るレーザ光源装置１は、異なる波長のレーザ光を出射する複数の光源部２，２と、各光源部２から出射されるレーザ光の出力を検出する出力検出部１４と、各光源部２から出射されるレーザ光の波長を検出する波長検出部１５と、レーザ光の波長に対する分光感度の情報を記憶する分光感度記憶部１１ｃと、波長検出部１５が検出する波長及び分光感度記憶部１１ｃが記憶する情報に基づいて、分光感度を演算する分光感度演算部１２ｃと、出力検出器１４が検出する出力及び分光感度演算部１２ｃが演算する分光感度に基づいて、複数の光源部２のうち第１の光源部２ａにおける出力及び分光感度の積と複数の光源部２のうち第２の光源部２ｂにおける出力及び分光感度の積との比を演算する比演算部１２ｄと、を備える。【選択図】  図２
2015070138.tif 000002
【特許請求の範囲】
【請求項１】
異なる波長のレーザ光を出射する複数の光源部と、
前記各光源部から出射されるレーザ光の出力を検出する出力検出部と、
前記各光源部から出射されるレーザ光の波長を検出する波長検出部と、
レーザ光の波長に対する分光感度の情報を記憶する分光感度記憶部と、
前記波長検出部が検出する波長及び前記分光感度記憶部が記憶する情報に基づいて、分光感度を演算する分光感度演算部と、
前記出力検出器が検出する出力及び前記分光感度演算部が演算する分光感度に基づいて、前記複数の光源部のうち第１の光源部における出力及び分光感度の積と前記複数の光源部のうち第２の光源部における出力及び分光感度の積との比を演算する比演算部と、を備えるレーザ光源装置。
【請求項２】
前記複数の光源部に電力を供給する電源部と、
前記複数の光源部を冷却する冷却部と、
前記比演算部が演算する比に基づいて、前記電源部及び前記冷却部の少なくとも一方を制御する制御部と、を備える請求項１に記載のレーザ光源装置。
【請求項３】
前記出力検出部は、
前記各光源部に供給される電気値を検出する電気値検出部と、
前記各光源部の温度を検出する温度検出部と、
前記各光源部において、供給される電気値及び温度に対する出力の情報を記憶する出力記憶部と、
前記電気値検出部が検出する電気値、前記温度検出部が検出する温度、及び前記出力記憶部が記憶する情報に基づいて、前記各光源部から出射されるレーザ光の出力を演算する出力演算部と、を備える請求項１又は２に記載のレーザ光源装置。
【請求項４】
前記波長検出部は、
前記各光源部の温度を検出する温度検出部と、
前記各光源部において、温度に対する波長の情報を記憶する波長記憶部と、
前記温度検出部が検出する温度及び前記波長記憶部が記憶する情報に基づいて、前記各光源部から出射されるレーザ光の波長を演算する波長演算部と、を備える請求項１〜３の何れか１項に記載のレーザ光源装置。
【発明の詳細な説明】
【技術分野】
【０００１】
本発明は、レーザ光を出射する複数の光源部を備えるレーザ光源装置に関する。
【背景技術】
【０００２】
従来、プロジェクタ等の画像投影装置に用いるレーザ光源装置として、レーザ光を出射する複数の光源部を備えるレーザ光源装置が知られている（例えば、特許文献１）。斯かるレーザ光源装置においては、光源部（半導体レーザ）の温度を変えることにより、光源部から出射されるレーザ光の波長をシフトする技術が知られている。そして、ある色域において波長の異なる複数のレーザ光を重ねることにより、レーザ光の照射面や観測者の網膜上に生じる光の強弱のあるノイズ、所謂、スペックルノイズを低減することができる。
【０００３】
ところで、光源部の温度を変えて出射されるレーザ光の波長をシフトした場合、光源部から出射されるレーザ光の出力も変化するため、波長の異なる複数のレーザ光を重ねても、スペックルノイズを充分に低減することができない、という問題があった。また、波長の異なるレーザ光を重ねても、レーザ光の波長の差による分光感度（人間の目が色を感じ取る強さの度合）の差が網膜上での強度差となり、スペックルノイズを充分に低減することができない、といった問題もあった。
【先行技術文献】
【特許文献】
【０００４】
【特許文献１】特開２００４−１４４７９４号公報
【発明の概要】
【発明が解決しようとする課題】
【０００５】
よって、本発明は、斯かる事情に鑑み、スペックルノイズを充分に低減することができるレーザ光源装置を提供することを課題とする。
【課題を解決するための手段】
【０００６】
本発明に係るレーザ光源装置は、異なる波長のレーザ光を出射する複数の光源部と、前記各光源部から出射されるレーザ光の出力を検出する出力検出部と、前記各光源部から出射されるレーザ光の波長を検出する波長検出部と、レーザ光の波長に対する分光感度の情報を記憶する分光感度記憶部と、前記波長検出部が検出する波長及び前記分光感度記憶部が記憶する情報に基づいて、分光感度を演算する分光感度演算部と、前記出力検出器が検出する出力及び前記分光感度演算部が演算する分光感度に基づいて、前記複数の光源部のうち第１の光源部における出力及び分光感度の積と前記複数の光源部のうち第２の光源部における出力及び分光感度の積との比を演算する比演算部と、を備える。
【０００７】
本発明に係るレーザ光源装置によれば、複数の光源部は、異なる波長のレーザ光を出射しており、出力検出部は、各光源部から出射されるレーザ光の出力を検出する。また、波長検出部は、各光源部から出射されるレーザ光の波長を検出し、分光感度記憶部は、レーザ光の波長に対する分光感度の情報を記憶している。そして、分光感度演算部は、波長検出部が検出する波長及び分光感度記憶部が記憶する情報に基づいて、分光感度を演算する。
【０００８】
さらに、比演算部は、出力検出器が検出する出力及び分光感度演算部が演算する分光感度に基づいて、複数の光源部のうち第１の光源部における出力及び分光感度の積と複数の光源部のうち第２の光源部における出力及び分光感度の積との比を演算する。これにより、重ねられた波長の異なるレーザ光は、出力だけでなく、波長における分光感度も考慮されている。したがって、斯かる比を制御することにより、スペックルノイズを充分に低減することができる。
【０００９】
また、本発明に係るレーザ光源装置においては、前記複数の光源部に電力を供給する電源部と、前記複数の光源部を冷却する冷却部と、前記比演算部が演算する比に基づいて、前記電源部及び前記冷却部の少なくとも一方を制御する制御部と、を備える、という構成でもよい。
【００１０】
斯かる構成によれば、電源部は、複数の光源部に電力を供給し、冷却部は、複数の光源部を冷却している。そして、制御部は、比演算部が演算する比に基づいて、電源部及び冷却部の少なくとも一方を制御する。これにより、レーザ光の波長における分光感度とレーザ光の出力とが制御されるため、重ねられた波長の異なるレーザ光は、出力だけでなく、波長における分光感度も考慮されて、バランスのよい状態となる。したがって、スペックルノイズを充分に低減することができる。
【００１１】
また、本発明に係るレーザ光源装置においては、前記出力検出部は、前記各光源部に供給される電気値を検出する電気値検出部と、前記各光源部の温度を検出する温度検出部と、前記各光源部において、供給される電気値及び温度に対する出力の情報を記憶する出力記憶部と、前記電気値検出部が検出する電気値、前記温度検出部が検出する温度、及び前記出力記憶部が記憶する情報に基づいて、前記各光源部から出射されるレーザ光の出力を演算する出力演算部と、を備える、という構成でもよい。
【００１２】
斯かる構成によれば、電気値検出部は、各光源部に供給される電気値を検出し、温度検出部は、各光源部の温度を検出する。また、出力記憶部は、各光源部において、供給される電気値及び温度に対する出力の情報を記憶している。そして、出力演算部は、電気値検出部が検出する電気値、温度検出部が検出する温度、及び出力記憶部が記憶する情報に基づいて、各光源部から出射されるレーザ光の出力を演算する。これにより、各光源部から出射されるレーザ光の出力が検出される。
【００１３】
また、本発明に係るレーザ光源装置においては、前記波長検出部は、前記各光源部の温度を検出する温度検出部と、前記各光源部において、温度に対する波長の情報を記憶する波長記憶部と、前記温度検出部が検出する温度及び前記波長記憶部が記憶する情報に基づいて、前記各光源部から出射されるレーザ光の波長を演算する波長演算部と、を備える、という構成でもよい。
【００１４】
斯かる構成によれば、温度検出部は、各光源部の温度を検出し、波長記憶部は、各光源部において、温度に対する波長の情報を記憶している。そして、波長演算部は、温度検出部が検出する温度及び波長記憶部が記憶する情報に基づいて、各光源部から出射されるレーザ光の波長を演算する。これにより、各光源部から出射されるレーザ光の波長が検出される。
【発明の効果】
【００１５】
以上の如く、本発明に係るレーザ光源装置は、スペックルノイズを充分に低減することができるという優れた効果を奏する。
【図面の簡単な説明】
【００１６】
【図１】本発明の一実施形態に係るレーザ光源装置の全体概略図を示す。
【図２】同実施形態に係るレーザ光源装置のブロック図を示す。
【図３】同実施形態に係る光源部における温度とレーザ光の波長との関係図を示す。
【図４】同実施形態に係る光源部における電流値と出力との関係図を示す。
【図５】同実施形態に係るレーザ光の波長と各色域の分光感度との関係図を示す。
【図６】同実施形態に係るレーザ光源装置の制御フロー図を示す。
【図７】本発明に係るレーザ光源装置の評価表を示す。
【発明を実施するための形態】
【００１７】
以下、本発明に係るレーザ光源装置における一実施形態について、図１〜図６を参酌して説明する。
【００１８】
図１及び図２に示すように、本実施形態に係るレーザ光源装置１は、所定の色域において、具体的には、ＲＧＢの１つ又は２つ以上の色域において異なる波長のレーザ光を出射する複数（本実施形態においては２つ）の光源部２，２を備えている。また、レーザ光源装置１は、複数の光源部２，２から出射されたレーザ光を集光する集光レンズ３と、集光レンズ３から出射されたレーザ光が入射される光ファイバ４とを備えている。
【００１９】
レーザ光源装置１は、複数の光源部２，２に電力を供給する電源部５と、複数の光源部２，２を支持する支持部６と、複数の光源部２，２を冷却する冷却部７とを備えている。さらに、レーザ光源装置１は、各光源部２に供給される電気値を検出する電気値検出部８と、各光源部２の温度を検出する温度検出部９と、各情報を処理する処理部１０とを備えている。
【００２０】
光源部２は、レーザ光を出射する複数のレーザ発光部２１と、各レーザ発光部２１から出射されたレーザ光を平行光にする複数の光学系２２とを備えている。本実施形態においては、複数の光源部２，２には、第１の波長（例えば、６３２ｎｍの波長）の光を出射する第１の光源部２ａと、第１の波長と同じ色域で且つ第１の波長と異なる波長である第２の波長（例えば、６３６ｎｍの波長）の光を出射する第２の光源部２ｂとが、設けられている。なお、各光源部２の波長とは、各光源部２の中心波長のことをいう。
【００２１】
第１の光源部２ａは、３つの半導体レーザからなる半導体レーザ群であって、第２の光源部２ｂは、４つの半導体レーザからなる半導体レーザ群である。そして、各半導体レーザは、一つのレーザ発光部２１を有するＣＡＮ型である。なお、光源部２は、１つのレーザ発光部２１を備える、という構成でもよく、２つ又は５つ以上のレーザ発光部２１を備える、という構成でもよい。また、光源部２は、複数のレーザ発光部２１を有する半導体レーザ（例えば、レーザアレイ）を備える、という構成でもよい。
【００２２】
電源部５は、複数の半導体レーザが直列に接続されている各光源部２に、電力を供給している。そして、電源部５は、複数の光源部２ａ，２ｂの半導体レーザに対して、個別に電気値を制御する。本実施形態においては、電気値は、電流値としている。なお、電気値は、電圧値でもよく、電力値でもよい。
【００２３】
支持部６は、上面側を階段状に形成されている。そして、支持部６は、上面で光源部２を支持している。なお、支持部６は、第１の光源部２ａを支持する第１の支持部６ａと、第２の光源部２ｂを支持する第２の支持部６ｂとを備えている。また、支持部６は、熱伝導性を有しており、上面側で支持する光源部２の熱を下面側に向けて伝導している。
【００２４】
冷却部７は、支持部６の下面側に連結されている。そして、冷却部７は、支持部６で伝導された熱を冷却することで、光源部２を冷却している。なお、冷却部７は、第１の光源部２ａを冷却する第１の冷却部７ａと、第２の光源部２ｂを冷却する第２の冷却部７ｂとを備えている。そして、冷却部７は、複数の光源部２ａ，２ｂの半導体レーザに対して、個別に冷却する、即ち、個別に温度を制御している。例えば、冷却部７は、ペルチェ素子を備える装置でもよく、水冷式の装置でもよく、空冷式の装置でもよい。
【００２５】
電気値検出部８は、電源部５が各光源部２ａ，２ｂに供給している電流値を検出している。本実施形態においては、電気値検出部８は、電流センサとしている。
【００２６】
温度検出部９は、各光源部２ａ，２ｂの温度、具体的には、各光源部２ａ，２ｂの半導体レーザの温度を検出している。本実施形態においては、温度検出部９は、温度センサとしている。
【００２７】
処理部１０は、各種情報を記憶する記憶部１１と、各種情報を演算する演算部１２とを備えている。また、処理部１０は、演算部１２が演算した情報に基づいて、電源部５及び冷却部７を制御する制御部１３を備えている。
【００２８】
記憶部１１は、各光源部２における温度に対するレーザ光の波長の情報を記憶する波長記憶部１１ａと、各光源部２における温度及び電源部５から供給される電流値に対するレーザ光の出力の情報を記憶する出力記憶部１１ｂとを備えている。また、記憶部１１は、レーザ光の波長に対する分光感度の情報を記憶する分光感度記憶部１１ｃを備えている。
【００２９】
半導体レーザにおいては、温度が高くなるに伴って、出射するレーザ光の波長が高くなる。したがって、波長記憶部１１ａが記憶している情報は、図３に示すように、光源部２の半導体レーザの温度が高くなるに伴って、光源部２から出射されるレーザ光の波長が長くなる、という情報である。なお、斯かる情報は、事前に測定されて取得された情報である。
【００３０】
また、半導体レーザにおいては、供給される電流値が大きくなるに伴って、出射するレーザ光の出力が大きくなり、また、温度が変化することにより、出射するレーザ光の出力も変化する。したがって、出力記憶部１１ｂが記憶している情報は、図４に示すように、光源部２が電源部５から供給される電流値が大きくなるに伴って、光源部２から出射されるレーザ光の出力が大きくなり、また、光源部２の半導体レーザの温度が異なることにより、光源部２から出射されるレーザ光の出力が異なる、という情報である。なお、斯かる情報は、事前に測定されて取得された情報である。
【００３１】
分光感度記憶部１１ｃが記憶している情報は、図５に示すように、ＲＧＢの各色域において、人間の目が波長ごとに色を感じ取る強さの度合、即ち、分光感度である。そして、Ｒ光の色域における分光感度は、４５０ｎｍの波長で最大となり、Ｇ光の色域における分光感度は、５５５ｎｍの波長で最大となり、Ｂ光の色域における分光感度は、６００ｎｍの波長で最大となる。なお、分光感度は、三刺激値とも呼ばれており、図５は、等色関数と呼ばれている。
【００３２】
図２に戻り、演算部１２は、温度検出部９が検出する光源部２の温度と、波長記憶部１１ａが記憶する情報とに基づいて、光源部２から出射されるレーザ光の波長を演算する波長演算部１２ａを備えている。また、演算部１２は、電気値検出部８が検出する光源部２に供給される電流値と、温度検出部９が検出する光源部２の温度と、出力記憶部１１ｂが記憶する情報とに基づいて、光源部２から出射されるレーザ光の出力を演算する出力演算部１２ｂを備えている。
【００３３】
演算部１２は、波長演算部１２ａが演算するレーザ光の波長と、分光感度記憶部１１ｃが記憶する情報とに基づいて、光源部２から出射されるレーザ光の分光感度を演算する分光感度演算部１２ｃを備えている。さらに、演算部１２は、出力演算部１２ｂが演算したレーザ光の出力と、分光感度演算部１２ｃが演算したレーザ光の分光感度とに基づいて、第１の光源部２ａの照度と第２の光源部２ｂの照度との比（以下「照度比」ともいう）を演算する比演算部１２ｄを備えている。
【００３４】
比演算部１２ｄの演算する照度は、光源部２から出射されるレーザ光の出力（複数のレーザ発光部２１から出射されるレーザ光の出力の合計）と光源部２から出射されるレーザ光の波長における分光感度との積である。したがって、比演算部１２ｄは、第１の光源部２ａにおける出力及び分光感度の積である照度と第２の光源部２ｂにおける出力及び分光感度の積である照度との照度比を演算している。
【００３５】
なお、電気値検出部８が検出した電流値と、温度検出部９が検出した温度と、出力記憶部１１ｂが記憶する情報とに基づいて、出力演算部１２ｂがレーザ光の出力を演算する。これにより、各光源部２から出射されるレーザ光の出力が検出される。したがって、本実施形態において、電気値検出部８、温度検出部９、出力記憶部１１ｂ、及び出力演算部１２ｂは、各光源部２から出射されるレーザ光の出力を検出する出力検出部１４を構成している。
【００３６】
また、温度検出部９が検出した温度と、波長記憶部１１ａが記憶する情報とに基づいて、波長演算部１２ａがレーザ光の波長を演算する。これにより、各光源部２から出射されるレーザ光の波長が検出される。したがって、本実施形態において、温度検出部９、波長記憶部１１ａ、及び波長演算部１２ａは、各光源部２から出射されるレーザ光の波長を検出する波長検出部１５を構成している。
【００３７】
制御部１３は、電源部５を制御する電源制御部１３ａと、冷却部７を制御する冷却制御部１３ｂとを備えている。そして、電源制御部１３ａは、比演算部１２ｄが演算する照度比に基づいて、各光源部２に供給する電流値を変更するように制御し、冷却制御部１３ｂも、比演算部１２ｄが演算する照度比に基づいて、各光源部２の温度を変更するように制御する。
【００３８】
なお、電源制御部１３ａが、各光源部２に供給する電流値を一定（設定値）となるように制御し、冷却制御部１３ｂが、照度比に基づいて、各光源部２の温度を変更するように制御してもよい。また、冷却制御部１３ｂが、各光源部２の温度を一定（設定値）となるように制御し、電源制御部１３ａが、照度比に基づいて、各光源部２に供給する電流値を変更するように制御してもよい。
【００３９】
制御部１３は、照度比が０．６７〜１．５０となるように、電源部５及び冷却部７を制御する。好ましくは、制御部１３は、照度比が０．８２〜１．２２となるように、電源部５及び冷却部７を制御する。さらに好ましくは、制御部１３は、照度比が１．０となるように、電源部５及び冷却部７を制御する。
【００４０】
本実施形態に係るレーザ光源装置１の構成については以上の通りであり、次に、本実施形態に係るレーザ光源装置１の制御方法について、図６を参酌して説明する。
【００４１】
電気値検出部８が各光源部２に供給される電流値を検出し（ステップ１０１）、温度検出部９が各光源部２の温度を検出する（ステップ１０２）。そして、波長演算部１２ａは、温度検出部９が検出した温度と、波長記憶部１１ａが記憶する情報とに基づいて、光源部２から出射されるレーザ光の波長を演算する（ステップ１０３）。さらに、分光感度演算部１２ｃは、波長演算部１２ａが演算した波長と、分光感度記憶部１１ｃが記憶する情報とに基づいて、光源部２から出射されるレーザ光の分光感度を演算する（ステップ１０４）。
【００４２】
また、出力演算部１２ｂは、電気値検出部８が検出した電流値と、温度検出部９が検出した温度と、出力記憶部１１ｂが記憶する情報とに基づいて、光源部２から出射されるレーザ光の出力を演算する（ステップ１０５）。その後、比演算部１２ｄは、分光感度演算部１２ｃが演算したレーザ光の分光感度と、出力演算部１２ｂが演算したレーザ光の出力とに基づいて、第１の光源部２ａの照度と第２の光源部２ｂの照度との照度比を演算する（ステップ１０６）。
【００４３】
そして、比演算部１２ｄで演算された照度比が適正値（例えば、１．０）でない場合（ステップ１０７の「Ｎ」）は、制御部１３は、電源部５及び冷却部７を制御する（ステップ１０８）。その後、斯かる制御を繰り返す（ステップ１０１に戻る）。なお、比演算部１２ｄで演算された照度比が適正値である場合（ステップ１０７の「Ｙ」）は、制御部１３が電源部５及び冷却部７の状態を維持しつつ、斯かる制御を繰り返す（ステップ１０１に戻る）。
【００４４】
以上より、本実施形態に係るレーザ光源装置１によれば、複数の光源部２，２は、所定の色域において異なる波長のレーザ光を出射しており、出力検出部１４は、各光源部２から出射されるレーザ光の出力を検出する。また、波長検出部１５は、各光源部２から出射されるレーザ光の波長を検出し、分光感度記憶部１１ｃは、レーザ光の波長に対する分光感度の情報を記憶している。そして、分光感度演算部１２ｃは、波長検出部１５が検出する波長及び分光感度記憶部１１ｃが記憶する情報に基づいて、分光感度を演算する。
【００４５】
さらに、比演算部１２ｄは、出力検出器１４が検出する出力及び分光感度演算部１２ｃが演算する分光感度に基づいて、第１の光源部２ａにおける出力及び分光感度の積と第２の光源部２ｂにおける出力及び分光感度の積との照度比を演算する。これにより、重ねられた波長の異なるレーザ光は、出力だけでなく、波長における分光感度も考慮されている。したがって、斯かる照度比を制御することにより、スペックルノイズを充分に低減することができる。
【００４６】
また、本実施形態に係るレーザ光源装置１によれば、電源部５は、複数の光源部２，２に電力を供給し、冷却部７は、複数の光源部２，２を冷却している。そして、制御部１３は、比演算部１２ｄが演算する照度比に基づいて、電源部５及び冷却部７を制御する。これにより、レーザ光の波長における分光感度とレーザ光の出力とが制御されるため、重ねられた波長の異なるレーザ光は、出力だけでなく、波長における分光感度も考慮されて、バランスのよい状態となる。したがって、スペックルノイズを充分に低減することができる。
【００４７】
また、本実施形態に係るレーザ光源装置１によれば、電気値検出部８は、各光源部２に供給される電流値を検出し、温度検出部９は、各光源部２の温度を検出する。また、出力記憶部１１ｂは、各光源部２において、供給される電流値及び温度に対する出力の情報を記憶している。
【００４８】
そして、出力演算部１２ｂは、電気値検出部８が検出する電流値、温度検出部９が検出する温度、及び出力記憶部１１ｂが記憶する情報に基づいて、各光源部２から出射されるレーザ光の出力を演算する。これにより、各光源部２から出射されるレーザ光の出力が検出される。
【００４９】
また、本実施形態に係るレーザ光源装置１によれば、温度検出部９は、各光源部２の温度を検出し、波長記憶部１１ａは、各光源部２において、温度に対する波長の情報を記憶している。そして、波長演算部１２ａは、温度検出部９が検出する温度及び波長記憶部１１ａが記憶する情報に基づいて、各光源部２から出射されるレーザ光の波長を演算する。これにより、各光源部２から出射されるレーザ光の波長が検出される。
【００５０】
なお、本発明に係るレーザ光源装置は、上記した実施形態の構成に限定されるものではなく、また、上記した作用効果に限定されるものではない。また、本発明に係るレーザ光源装置は、本発明の要旨を逸脱しない範囲内において種々変更を加え得ることは勿論である。例えば、下記する各種の変更例に係る構成や方法等を任意に選択して、上記した実施形態に係る構成や方法等に採用してもよいことは勿論である。
【００５１】
上記実施形態に係るレーザ光源装置１においては、出力検出部１４は、電気値検出部８、温度検出部９、出力記憶部１１ｂ、及び出力演算部１２ｂを備える、という構成である。しかしながら、本発明に係るレーザ光源装置は、斯かる構成に限られない。例えば、本発明に係るレーザ光源装置においては、出力検出部１４は、レーザ光の全部又は一部を受光することで、レーザ光の出力を検出する、という構成でもよい。例えば、フォトダイオードやカロリーメータが挙げられる。
【００５２】
また、上記実施形態に係るレーザ光源装置１においては、波長検出部１５は、温度検出部９、波長記憶部１１ａ、及び波長演算部１２ａを備える、という構成である。しかしながら、本発明に係るレーザ光源装置は、斯かる構成に限られない。例えば、本発明に係るレーザ光源装置においては、波長検出部１５は、レーザ光の全部又は一部を受光して波長のスペクトルを測定する、という構成でもよい。例えば、波長計が挙げられる。
【００５３】
また、上記実施形態に係るレーザ光源装置１においては、光源部２は、二つ備える、という構成である。しかしながら、本発明に係るレーザ光源装置は、斯かる構成に限られない。例えば、本発明に係るレーザ光源装置においては、光源部２は、三つ以上備える、という構成でもよい。そして、斯かる構成においては、比演算部１２ｄは、少なくとも二つの光源部２，２に対して照度比を演算する。なお、比演算部１２ｄは、全ての光源部２に対して、それぞれ照度比を演算してもよい。
【実施例】
【００５４】
ここで、本発明に係るレーザ光源装置１の好ましい照度比について、図７を参酌して、以下に説明する。
【００５５】
＜実施例＞
第１の光源部２ａは、中心波長が６３２ｎｍ（分光感度：０．６０２５２）であり、定格出力が１．５Ｗである１つの半導体レーザとした。また、第２の光源部２ｂは、中心波長が６３６ｎｍ（分光感度：０．５１３２４）であり、定格出力が１．２５Ｗである１つの半導体レーザとした。そして、各光源部２ａ，２ｂの温度を一定にした状態で、各光源部２ａ，２ｂに供給する電流値を変化させることにより、第１の光源部２ａと第２の光源部２ｂとの照度比を変化させた。
【００５６】
＜評価方法＞
第１の光源部２ａの相対照度が０であり、第２の光源部２ｂの相対照度が１であるときを基準とし、基準よりスペックルノイズが低減したか否かで評価した。そして、評価者は、１０人とし、１０人中１０人が低減したと評価した場合、評価を「◎」とし、１０人中８人が低減したと評価した場合、評価を「○」とし、１０人中４人が低減したと評価した場合、評価を「△」とし、１０人中０人が低減したと評価した場合、評価を「×」とした。
【００５７】
＜評価結果＞
図７に示すように、「０．８２≦照度比≦１．２２」の場合、評価が「◎」であり、「０．６７≦照度比＜０．８２」及び「１．２２＜照度比≦１．５０」の場合、評価が「○」であり、「０．４３≦照度比＜０．６７」及び「１．５０＜照度比≦２．３３」の場合、評価が「△」であり、「照度比＜０．４３」及び「２．３３＜照度比」の場合、評価が「×」であった。したがって、照度比は、０．６７〜１．５０であることが好ましく、０．８２〜１．２２であることがより好ましい。
【符号の説明】
【００５８】
１…レーザ光源装置、２…光源部、２ａ…第１の光源部、２ｂ…第２の光源部、３…集光レンズ、４…光ファイバ、５…電源部、６…支持部、６ａ…第１の支持部、６ｂ…第２の支持部、７…冷却部、７ａ…第１の冷却部、７ｂ…第２の冷却部、８…電気値検出部、９…温度検出部、１０…処理部、１１…記憶部、１１ａ…波長記憶部、１１ｂ…出力記憶部、１１ｃ…分光感度記憶部、１２…演算部、１２ａ…波長演算部、１２ｂ…出力演算部、１２ｃ…分光感度演算部、１２ｄ…比演算部、１３…制御部、１３ａ…電源制御部、１３ｂ…冷却制御部、１４…出力検出部、１５…波長検出部、２１…レーザ発光部、２２…光学系
【図１】
2015070138.tif 000003
【図２】
2015070138.tif 000004
【図３】
2015070138.tif 000005
【図４】
2015070138.tif 000006
【図５】
2015070138.tif 000007
【図６】
2015070138.tif 000008
【図７】
2015070138.tif 000009